(57)【要約】【課題】エアーギャップ部で発生する二重像ゴーストに起因する視野光線の有害光を除去すると共に、エバネッセント波による有害光の漏れ現象を防止することができるファインダー光学系を提供する。【解決手段】プリズム８，９にエアーギャップ部１４を有し、該エアーギャップ部１４に反射ゴースト光束を生起させるファインダー光学系において、エアーギャップ部の間隔Ｈの最大値を、該エアーギャップ部１４の入射面９ａにおける１回目の反射によって生起する第１の反射ゴースト光束Ｙ３とファインダー光束Ｘ６とのずれ量が接眼光学系１０，１１，１２を通して観察される像に対する眼の分解能より小さくなるように設定し、エアーギャップ部１４の間隔Ｈの最小値を、エバネッセント波による全反射からの光漏れが生じないように設定する。【選択図】図２
2007323012.tif 000002
【特許請求の範囲】
【請求項１】
プリズムにエアーギャップ部を有し、該エアーギャップ部に反射ゴースト光束が生起するファインダー光学系において、
前記エアーギャップ部の間隔Ｈの最大値を、該エアーギャップ部の入射面における１回目の反射によって生起する第１の反射ゴースト光束とファインダー光束とのずれ量が接眼光学系を通して観察される像に対する眼の分解能より小さくなるように設定し、
前記エアーギャップ部の間隔Ｈの最小値を、エバネッセント波としての全反射からの光漏れが生じないように設定した、
ことを特徴とするファインダー光学系。
【請求項２】
前記エアーギャップ部の間隔Ｈの最小値が可視光線領域での波長より大きい値である、  ことを特徴とする請求項１に記載のファインダー光学系。
【請求項３】
前記可視光線領域での波長が３５０ｎｍ〜８００ｎｍである、
ことを特徴とする請求項２に記載のファインダー光学系。
【請求項４】
前記エアーギャップ部をドライフィルムを用いて形成する、
ことを特徴とする請求項１〜３のいずれか一項に記載のファインダー光学系。
【請求項５】
接眼光学系の最終射出面における前記第１の反射ゴースト光束と前記ファインダー光束とのずれ量を観察者の眼球レンズに対する入射角度０．５分より小さくした、
ことを特徴とする請求項１〜４のいずれか一項に記載のファインダー光学系。
【請求項６】
前記エアーギャップ部の間隔Ｈを８００ｎｍ≦Ｈ≦０．０１ｍｍ／接眼ルーペ倍率とした、
ことを特徴とする請求項１〜５のいずれか一項に記載のファインダー光学系。
【請求項７】
前記エアーギャップ部の間隔Ｈの最大値を、被写体像とゴースト像とのずれ幅Ａから眼の分解能の限界である線幅Ｂを差し引いた寸法Ｃが該線幅Ｂより小さくなるように設定した、
ことを特徴とする請求項１〜４のいずれか一項に記載のファインダー光学系。
【請求項８】
請求項１〜７のいずれか一項に記載のファインダー光学系を備える、
ことを特徴とする光学装置。
【発明の詳細な説明】
【技術分野】
【０００１】
本発明は、ファインダー光学系及び光学装置に関し、特に、一眼レフカメラ、レンズシャッタカメラ、デジタルスチルカメラ等に好適に用いられるファインダー光学系及び光学装置に関する。
【背景技術】
【０００２】
従来のファインダー光学系として、ゴースト光束と通常の光束とを分離させないために、プリズムのエアーギャップ部の間隔Ｈを０＜Ｈ≦０．０５ｍｍの範囲に設定したものが開示されている（例えば、特許文献１参照）。
【０００３】
また、エアーギャップ部の間隔Ｈの値が大きいとプリズムに入射する光線の角度や、光線がプリズムを通過する場所によって光路長が大きく異なってくるため、瞳位置での収差、特に非点収差等に関する影響が大きくなる。
【０００４】
そこで、これらの問題及びプリズムの材質の温度，湿度差による影響や製造誤差等を考慮して、エアーギャップ部の間隔Ｈを、０＜Ｈ≦０．２ｍｍの範囲に設定したものが開示されている（例えば、特許文献２参照）。
【特許文献１】特開平８−１７９４００号公報
【特許文献２】特許第３６７３０４８号公報
【発明の開示】
【発明が解決しようとする課題】
【０００５】
上記特許文献１では、ゴーストについての解決策は何ら開示されておらず、また、エアーギャップ部の間隔Ｈの最小値（０＜Ｈ）についても、エアーギャップ部で入射光を全反射させなければならないので「０」にすることができないと記載されているのみである。
【０００６】
一方、上記特許文献２では、エアーギャップ部の間隔Ｈが０＜Ｈ≦０．２ｍｍであれば非点収差がどのようになるのか等、ファインダーの見えに関する内容については、何ら開示されていない。また、エアーギャップ部における２重像のゴースト発生については、開示も示唆もなされていない。
【０００７】
従って、上記特許文献１及び特許文献２では、エアーギャップ部で発生する二重像ゴーストに起因する視野光線の有害光を除去し、且つエバネッセント波による有害光の漏れ現象を防止するエアーギャップ部の間隔Ｈついての技術的意義は見いだせない。
【０００８】
そこで、本発明は、エアーギャップ部で発生する二重像ゴーストに起因する視野光線の有害光を除去することができると共に、エバネッセント波による有害光の漏れ現象を防止することができるファインダー光学系及び光学装置を提供することを目的とする。
【課題を解決するための手段】
【０００９】
上記目的を達成するために、請求項１に記載のファインダー光学系は、プリズムにエアーギャップ部を有し、該エアーギャップ部に反射ゴースト光束が生起するファインダー光学系において、前記エアーギャップ部の間隔Ｈの最大値を、該エアーギャップ部の入射面における１回目の反射によって生起する第１の反射ゴースト光束とファインダー光束とのずれ量が接眼光学系を通して観察される像に対する眼の分解能より小さくなるように設定し、前記エアーギャップ部の間隔Ｈの最小値を、エバネッセント波としての全反射からの光漏れが生じないように設定した、ことを特徴とする。
【００１０】
請求項８に記載の光学装置は、請求項１〜７のいずれか一項に記載のファインダー光学系を備える、ことを特徴とする。
【発明の効果】
【００１１】
本発明によれば、第１の反射ゴースト光束とファインダー光束とのずれ量が眼の分解能より小さくなるようにエアーギャップ部の間隔Ｈの最大値を設定し、また、エバネッセント波による全反射からの光漏れが生じないように間隔Ｈの最小値を設定している。
【００１２】
これにより、エアーギャップ部において発生する２重像のゴーストを肉眼では確認できない大きさにすることができ、視野光線における有害光を除去することができる。また、エバネッセント波による有害光の漏れ現象も防止することが可能となる。
【発明を実施するための最良の形態】
【００１３】
以下、本発明の実施の形態の一例を図を参照して説明する。
【００１４】
図１は本発明の実施の形態の一例であるファインダー光学系を備えた光学装置としてのカメラを説明するための概略断面図、図２〜図５はエアーギャップ部に発生するゴースト像を説明するための説明図である。また、図６〜図８はエアーギャップ部を形成する工程を説明するための図、図９〜図１１は本発明の他の実施の形態であるファインダー光学系を説明するための図、図１２は視力と眼の分解能とを関係を示すグラフ図である。
【００１５】
図１に示す１眼レフカメラ（光学部材）は、カメラ本体１にレンズ鏡筒２が着脱自在に装着されており、レンズ鏡筒２には被写体を撮影するための撮影レンズ３，４，５が保持されている。撮影レンズ３，４，５からの被写体光は反射ミラー６、及びピント板７を介してファインダー光学系へ伝達される。
【００１６】
ファインダー光学系は、図１及び図２に示すように、プリズム８，９を備えており、プリズム８，９間にはエアーギャップ部１４が設けられている。
【００１７】
プリズム８，９は、反射ミラー６により図の上方向に曲げられた被写体光軸を図の左右と上下とに反転させながら再び撮影レンズ光軸と同一方向に戻し、接眼筒１３に保持された接眼レンズ（接眼光学系）１０，１１，１２へと送り出す。
【００１８】
詳述すると、被写体光軸Ｘは撮影レンズ３，４，５を通過して、反射ミラー６で上方向へ折り曲げられてＸ２となり、ピント板７を通って（ピント板７である程度拡散されるがここでは省略する）プリズム８の入射面８ａからプリズム８内へ入る。
【００１９】
このとき、プリズム８とプリズム９との間にエアーギャップ部１４が設けられ、且つプリズム８の全反射面８ｂと光束Ｘ２とのなす角度が全反射条件を満たしているので、光束Ｘ２は全反射面８ｂで全反射されてＸ３方向へ進む。
【００２０】
プリズム８のダハ面ミラー８ｃは光線を反射させて左右を反転するために銀蒸着等が施されており、従って、光束Ｘ３はダハ面ミラー８ｃ面で反射されて光束Ｘ４となり、プリズム８の全反射面８ｂに再度到達する。
【００２１】
このとき、光束Ｘ２の場合と違って全反射面８ｂと光束Ｘ４とのなす角度が全反射角度にならないように設定してあるので、光束Ｘ４は全反射面８ｂからエアーギャップ部１４に進む。
【００２２】
光束Ｘ４は、エアーギャップ部１４では、光束Ｘ５のように屈折して若干下方向へ曲がり、プリズム９の入射面９ａからプリズム９内へ進入し、その後、光束Ｘ５は光束Ｘ６となる。
【００２３】
光束（ファインダー光束）Ｘ６は、プリズム９の射出面９ｂから接眼レンズ１０，１１，１２を通過して接眼レンズ１２から一定距離離れた観察者の眼のレンズ１０１に入射し、さらに眼のレンズ１０１によって結像される網膜１０２へ到達する。これにより、被写体光束Ｘ６は、被写体像として認識される。
【００２４】
なお、本実施形態では、１眼レフカメラであるため、撮影の際には、反射ミラー６をアップさせ、撮影レンズ３，４，５によって結像された被写体光束はシャッター機構を経て撮像素子へと導かれるが、ファインダー系での説明とするために撮像系等は省略する。
【００２５】
ここで、全反射面８ｂを透過した光束Ｘ５は、図２及び図３に示すように、プリズム９の入射面９ａに入射して光束Ｘ６へと進む以外に若干であるが入射面９ａの表面で反射して光束Ｙ１が発生する。
【００２６】
この反射光束Ｙ１は、エアーギャップ部１３の間隔Ｈだけ離れたプリズム８の全反射面８ｂによって再度反射を起こし、反射光束Ｙ２となって再びプリズム９の入射面９ａに到達し、プリズム９内を通過する光束Ｙ３となる。
【００２７】
この光束Ｙ３は、プリズム９の入射面９ａに対する第１回目の反射で生起したゴースト光束であることから第１の反射ゴースト光束とする。この第１の反射ゴースト光束Ｙ３はプリズム９内を進み、接眼レンズ１０，１１，１２によって変倍され、ゴースト光束Ｙ４として眼のレンズ１０１へ到達する。
【００２８】
このゴースト光束Ｙ４と被写体光束Ｘ６とが、接眼レンズ１２の最終射出面から眼のレンズ１０１に入射するときのなす角度θが眼の分解能となる（図２参照）。この眼の分解能である角度θは、通常の人の視力では約１分程度であることが知られている。
【００２９】
図１２は、ランドルト環等による視力検査の基準として、視力１．０の人では眼の分解能の角度θ＝１分、視力２．０の人では眼の分解能の角度θ＝０．５分と定義されている。従って、ゴースト光束Ｙ４が有害なゴーストとして眼で認識されない条件としては、眼の分解能の角度θ＝０．５分未満となり、（Ｚ）×（接眼のルーペ倍率）＜（分解能の限界入射角θ（＝０．５分））相当量の式で表される。
【００３０】
ここで、Ｚとは、被写体光束（ファインダー光束）Ｘ６と第１の反射ゴースト光束Ｙ３との間隔である。また、この式をエアーギャップ部１４の間隔Ｈに換算すると、８００ｎｍ≦Ｈ≦０．０１ｍｍ／接眼ルーペ倍率の式で表される。
【００３１】
なお、上記の式で接眼ルーペ倍率を用いるのは、図２を参照して、被写体光束Ｘ６と第１の反射ゴースト光束Ｙ３との間隔Ｚが、接眼レンズ１０，１１，１２によって拡大されてゴースト光束Ｙ４となるためである。このような接眼レンズ１０，１１，１２による光束の拡大は、一般的なファインダー光学系で実施されている。
【００３２】
ファインダー光学系としては、図２示すようなタイプに限定されるものではなく、いろいろ設計がなされている。本発明でエアーギャップ部１４の間隔Ｈを設定する場合は、観察者の眼に入射するときの被写体光束Ｘ６とゴースト光束Ｙ４とのなす角度θを眼の分解能よりも小さくすることから、接眼ルーペ倍率での換算が必要となる。
【００３３】
なお、上記２つの式の条件では、視力が２．０以上の人にとっては、光束Ｙ４がゴースト光として認識されることになる。このことが問題になる場合には、後述するエバネッセント波が発生しない範囲でエアーギャップ部１４の間隔Ｈを狭く設定して、万人に対してゴースト光が全く認識できなくすることも可能である。但し、大半の人がゴーストとして認識できないという条件でエアーギャップ部１４の間隔の上限値を設定することが、本発明の意図であることは言うまでもない。
【００３４】
また、上述した反射光束Ｙ２は、プリズム９の入射面９ａに到達したときに、第１の反射ゴースト光束Ｙ３へと進む以外に、さらにごくわずかな光束ではあるが、入射面９ａの表面で反射して第２の反射ゴースト光束を発生させる。
【００３５】
この反射ゴーストの発生原理から考えると相当量の減衰はあるが、第３の反射ゴースト、第４の反射ゴーストというように、ゴースト光束が繰り返し発生することになる。しかし、実際のファインダー光学系での見えとして有害となるものは、ほとんどが第１の反射ゴースト光束であって、第２の反射ゴースト以降のゴースト光束は全く眼では確認できないと言えるくらい減衰することになるので、本発明では無視することにする。
【００３６】
図３は、エアーギャップ部１４の間隔Ｈを本発明範囲とした例である。
【００３７】
図３では、図２と同様に、プリズム８の全反射面８ｂから被写体光束Ｘ５が射出してエアーギャップ部１４を直進し、プリズム９の入射面９ａに到達すると、プリズム９に入射する光束Ｘ６とプリズム９の入射面９ａで反射する光束Ｙ１とに分かれる。
【００３８】
プリズム９に入射した光束Ｘ６は、プリズム９内を直進して射出面９ｂに達すると、そのまま接眼レンズ１０に向かって進んでいく。一方、反射光束Ｙ１は、プリズム８の全反射面８ｂで再度反射され反射光束Ｙ２となり、再びプリズム９へ向かい、入射面９ａからプリズム９内へ進入して第１の反射ゴースト光束Ｙ３となり、射出面９ｂから接眼レンズ１０の方向に進む。
【００３９】
そして、被写体光束Ｘ６に対して間隔Ｚだけずれた被写体光束と同じ画像成分を持つ第１の反射ゴースト光束Ｙ３が、接眼レンズ１０，１１，１２を通過して光束Ｙ４となり、この光束４が眼で観察されることで、ゴースト像となる。
【００４０】
ここで、図３でのエアーギャップ部の間隔Ｈは、本発明の範囲内で設定されているので、被写体光束Ｘ６とゴースト光束Ｙ４とのなす角度θが観察者の眼の分解能である０．５分未満となる。
【００４１】
従って、第１の反射ゴースト光束Ｙ３は、観察者にとって被写体光束Ｘ６と区別できなくなり、ゴーストのない見えの良いファインダー像を観察することができる。
【００４２】
図４は、図３のエアーギャップ部１４の間隔Ｈを広げて本発明範囲外とした例である。
【００４３】
図４では、図２と同様に、被写体光束Ｘ４がプリズム８の全反射面８ｂから射出すると、光束Ｘ５と同一角度の光束Ｘ１０となって、プリズム９の入射面９ａに到達し、プリズム９に入射する光束Ｘ１１と入射面９ａで反射する反射光束Ｙ１０とに分かれて進む。
【００４４】
このとき、反射光束Ｙ１０は再度プリズム８の全反射面８ｂで反射され光束Ｙ１１となり、プリズム９の入射面９ａからプリズム９内へ進入し、第１の反射ゴースト光束Ｙ１２となって接眼レンズ１０，１１，１２を通過する。接眼レンズ１０，１１，１２を通過した光束が眼で観察されることでゴースト像となるが、この例では、被写体光束Ｘ１１と第１の反射ゴースト光束Ｙ１２とは、間隔Ｚより大きい間隔Ｚ１だけずれる。
【００４５】
このように、エアーギャップ部１４の間隔Ｈを間隔Ｈ１に広げたことに比例して、被写体光束Ｘ１１と第１の反射ゴースト光束Ｙ１２との間隔は、間隔Ｚから間隔Ｚ１へ拡大することになる。従って、観察者の眼に届く時の角度θが、０．５分以上となって被写体像からずれたゴースト像が観察され、非常に品位の悪いファインダー像になってしまう。
【００４６】
図５は、エアーギャップ部１４の間隔Ｈ２を図３より狭くした例である。
【００４７】
図５では、図３と同様に、プリズム８の全反射面８ｂから被写体光束Ｘ２０が射出してエアーギャップ部１４を直進し、プリズム９の入射面９ａに到達すると、プリズム９に入射する光束Ｘ２１とプリズム９の入射面９ａで反射する光束Ｙ２０とに分かれる。
【００４８】
光束Ｙ２０は、全反射面８ｂで再度反射して光束Ｙ２１となって再び入射面９ａに入射し、第１の反射ゴースト光束Ｙ２２として接眼レンズ１０方向へ進み、被写体光束Ｘ２１とは、間隔Ｚ２だけずれたゴーストとなって観察者の眼に入射することになる。
【００４９】
ここで、図５でのエアーギャップ部１４の間隔Ｈ２は、非常に小さい間隔として、例えば、８００ｎｍ未満の間隔あるいはほとんど０ｍｍに限りなく近い間隔とした場合を想定している。従って、第１の反射ゴースト光束Ｙ２２によって発生するゴースト像は、観察者の眼に対して約０．０５分程度以下の像ずれに過ぎず、ゴースト像は全く観察されないことになる。
【００５０】
しかし、このように、エアーギャップ部１４の間隔Ｈ２を可視光線領域の波長３５０ｎｍ〜８００ｎｍより小さい値にすると、プリズム８に入射した被写体光束Ｘ２が全反射面８ｂで全反射する際にエバネッセント波が全反射面８ｂからプリズム８の外へ沁み出す。
【００５１】
このエバネッセント波Ｅは伝播し難い光で知られているが、被写体光束Ｘ２が強いものだとエバネッセント波Ｅも強くなり、プリズム９内を通過（光漏れ）して接眼レンズを通して観察者の眼に到達し、有害なゴースト像やフレア像となってしまうことになる。
【００５２】
従って、エアーギャップ部１４の間隔Ｈを、本発明範囲の８００ｎｍ≦Ｈ≦０．０１ｍｍ／接眼ルーペ倍率とすることで、エバネッセント波Ｅによる有害なゴースト像やフレア像の発生を可視光線（波長３５０ｎｍ〜８００ｎｍ）の範囲で防止することができる。
【００５３】
このように、エアーギャップ部１４の間隔Ｈ２の最小値を、可視光線領域の波長より大きい値とすることで、エバネッセント波による全反射からの光漏れを防止することができ、ファインダー視野としての見えが格段に向上する。
【００５４】
なお、エアーギャップ部１４の間隔Ｈが、８００ｎｍ≦Ｈの場合には、波長８００ｎｍ以上の光束については、原理的にエバネッセント波Ｅによる有害なゴーストあるいはフレアなどが発生することになる。しかし、ファインダーは人間が観察するものとして設定され、且つ人間の眼の視感度特性が可視光線領域の範囲であることは公知であり、従って、波長８００ｎｍ以上の光束でもファインダーのゴースト光束の見えに影響しないことは言うまでもない。
【００５５】
図６〜図８は、間隔Ｈが８００ｎｍ≦Ｈ≦０．０１ｍｍ／接眼ルーペ倍率とされた本発明のエアーギャップ部１４を形成する方法を説明するための斜視図である。
【００５６】
プリズム８，９間に一般的な金属板やプラスチック板等のスペーサを介装する方法では、エアーギャップ部１４の間隔Ｈが広くなり過ぎて、８００ｎｍ≦Ｈ≦０．０１ｍｍ／接眼ルーペ倍率とすることは困難である。
【００５７】
そこで、本実施の形態では、プリズム８，９間に介装するスペーサの材料として、ドライフィルムを用いて、エアーギャップ部１４の間隔Ｈを容易に８００ｎｍ≦Ｈ≦０．０１ｍｍ／接眼ルーペ倍率の範囲に設定できるようにしている。
【００５８】
ドライフィルムとは、数μｍから数十μｍ程度のエッチングマスクに用いられているものであり、厚みの均一性も一般的な金属板やプラスチック板等よりも遥かにすぐれた特性を有しいる。また、ドライフィルムは、貼り付けた後、残す部分と除去する部分と露光により選択できるので、プリズムのマスクの代用として用いることができる。
【００５９】
図７は、図６に示すプリズム８の全反射面８ｂの全面にドライフィルム２０を貼り付けた状態を示したものである。図７の開口部２０ａにマスク形状を露光させると開口部２０ａに位置するドライフィルム２０が変化する。
【００６０】
そして、変化したドライフィルム２０をアルカリエッチング等で除去すると、図８に示すように、エアーギャップ部１４の間隔Ｈを確保するスペーサとしてのドライフィルム２０のマスク部２０ｂが残る。
【００６１】
このとき、ファインダーの見えに影響するマスクの曲面エッジ部に相当する微妙な曲面部２０ｃ1 も忠実に再現され、直線部２０ｃ2 及び２０ｃ3 も機械加工により切断された面ではなくきれいなエッジとして加工することができる。
【００６２】
次に、図９はファインダーを通過する前の被写体像Ｆを示し、図１０は被写体光束がプリズムにエアーギャップ部を持つファインダーを通過して、被写体像Ｆとゴースト像Ｇとが間隔Ａだけずれた状態を示してある。このずれ間隔Ａが、観察者の眼の入射角θに相当するものであり、角度θ＝０．５分未満であれば被写体像Ｆとゴースト像Ｇとがずれて見えることはない。
【００６３】
図１１は、本発明の他の実施の形態のファインダー光学系を説明するための図であり、被写体像Ｊが観察者の眼の分解能の限界であるθ＝０．５分の線幅Ｂを有している場合を示している。
【００６４】
ここで、この実施の形態では、エアーギャップ部１４の間隔Ｈの最大値を、被写体像Ｊとゴースト像Ｋとのずれ幅Ａから線幅Ｂを差し引いた寸法Ｃが該線幅Ｂより小さく（Ａ−Ｂ＝Ｃ、Ｃ＜Ｂ）なるように設定している。
【００６５】
これにより、ずれ幅Ａは、眼の分解能Ｂよりも小さいのでずれ幅Ａは認識できないことになり、第１の反射ゴースト光束に起因するゴースト像Ｋはファインダーでの視野像である線幅Ｂと同一視される。この結果、視野像とゴースト像とのずれが肉眼では判別不可能になり、実質的にゴースト像を見えなくすることができる。
【００６６】
この実施の形態では、エアーギャップ部１４の間隔Ｈが最大限の場合、つまり、眼の分解能の限界である線幅Ｂよりもわずかに小さくなるような第１の反射ゴースト光束となると、線幅Ｂが約２倍に見えるだけであり２重線には見えなくなる。従って、ゴーストの発生があたかも抑えられたように観察されることになり、最悪の場合にでも、ゴーストを抑制することができる。
【図面の簡単な説明】
【００６７】
【図１】本発明の実施の形態の一例であるファインダー光学系を備えた光学装置としてのカメラを説明するための概略断面図である。
【図２】エアーギャップ部に発生するゴースト像を説明するための説明図である。
【図３】エアーギャップ部に発生するゴースト像を説明するための説明図である。
【図４】エアーギャップ部に発生するゴースト像を説明するための説明図である。
【図５】エアーギャップ部に発生するゴースト像を説明するための説明図である。
【図６】エアーギャップ部を形成する工程を説明するための斜視図である。
【図７】エアーギャップ部を形成する工程を説明するための斜視図である。
【図８】エアーギャップ部を形成する工程を説明するための斜視図である。
【図９】被写体像を示す斜視図である。
【図１０】被写体像とゴースト像とのずれを説明するための斜視図である。
【図１１】本発明の他の実施の形態であるファインダー光学系を説明するための斜視図である。
【図１２】視力と眼の分解能とを関係を示すグラフ図である。
【符号の説明】
【００６８】
Ｈ    エアーギャップ部の間隔
Ｊ    被写体像
Ｋ    ゴースト像
Ｙ３    第１の反射ゴースト光束
Ｘ６    ファインダー光束
８，９  プリズム
９ａ    入射面
１４    エアーギャップ部
２０    ドライフィルム
【図１】
2007323012.tif 000003
【図２】
2007323012.tif 000004
【図３】
2007323012.tif 000005
【図４】
2007323012.tif 000006
【図５】
2007323012.tif 000007
【図６】
2007323012.tif 000008
【図７】
2007323012.tif 000009
【図８】
2007323012.tif 000010
【図９】
2007323012.tif 000011
【図１０】
2007323012.tif 000012
【図１１】
2007323012.tif 000013
【図１２】
2007323012.tif 000014